(57)【要約】【課題】照明灯具としての機能を持ちながら高速でデータを送信することが容易であると共に、安価に製品化する。【解決手段】  固定式照明灯具２０は、照明光１９をオンオフ可能に出射する白色発光ダイオードを備えた照明部１と、人体に感知されない間隔で照明光１９をオンオフさせると共に、情報データをオンオフにより照明光１９に含ませる灯具制御装置３とを有している。【選択図】図１
2005318148.tif 000002
【特許請求の範囲】
【請求項１】
照明光をオンオフ可能に出射する発光ダイオードを備えた照明手段と、
人体に感知されない間隔で前記照明光をオンオフさせると共に、情報データを前記オンオフにより前記照明光に含ませる照明制御手段と
を有することを特徴とする照明灯具。
【請求項２】
さらに、他の光源から出射された照明光を受光して検知信号を出力する受光部を有し、
前記照明制御手段は、前記受光部からの検知信号に基づいて情報処理することを特徴とする請求項１に記載の照明灯具。
【請求項３】
前記照明制御手段は、固有のＩＤ情報を有し、該ＩＤ情報を前記情報データに含めることを特徴とする請求項１または２に記載の照明灯具。
【請求項４】
前記照明制御手段は、現在位置を示す位置情報を前記情報データに含めることをことを特徴とする請求項１ないし３の何れか１項に記載の照明灯具。
【請求項５】
前記照明制御手段は、前記情報データを携帯電話との間で送受信可能であることを特徴とする請求項１ないし４の何れか１項に記載の照明灯具。
【請求項６】
人体に感知されない間隔で照明光をオンオフさせると共に、ＩＤ情報を含む情報データを前記オンオフにより前記照明光に含ませる携帯式照明灯具と、
前記照明光を受光し、該照明光に含まれるＩＤ情報に基づいて警報処理を行う警報処理装置と
を備えたことを特徴とする照明システム。
【請求項７】
人体に感知されない間隔で照明光をオンオフさせると共に、表示情報を含む情報データを前記オンオフにより前記照明光に含ませる固定式照明灯具と、
前記照明光を受光し、該照明光に含まれる表示情報を画面表示する表示装置と
を備えたことを特徴とする照明システム。
【請求項８】
人体に感知されない間隔で照明光をオンオフさせると共に、セキュリティ情報データを前記オンオフにより前記照明光に含ませる照明灯具と、
前記照明光を受光し、該照明光に含まれるセキュリティ情報でアラームまたはセキュリティ情報を表示する受光装置と
を備えたことを特徴とする照明システム。
【請求項９】
前記受光装置は、携帯電話であることを特徴とする請求項８に記載の照明システム。
【請求項１０】
前記照明灯具は、現在位置を示す位置情報を前記オンオフにより前記照明光に含ませることを特徴とする請求項８または９に記載の照明システム。
【発明の詳細な説明】
【技術分野】
【０００１】
本発明は、照明光を用いて情報を送信する照明灯具に関するものである。
【背景技術】
【０００２】
従来においては、特許文献１に記載されているように、蛍光灯を用いた照明器具の電源インバーターを送信データによる変調信号で駆動することによって、蛍光灯からの照明光を用いて情報を送信する照明灯具が開示されている。また、特許文献２には、蛍光灯の代わりに、エレクトロルミネッセンス素子を用いた発光装置により情報を送信する照明灯具が開示されている。
【０００３】
【特許文献１】特開平１１―１２７１７０号公報
【特許文献２】特開２００３―１１５８０３号公報
【発明の開示】
【発明が解決しようとする課題】
【０００４】
しかしながら、特許文献１の構成では、蛍光灯の照度の立ち上がり時間が比較的に緩やかであるため、データ送信の速度を高めようとしたときの障害になり易いという問題がある。また、特許文献２の構成では、エレクトロルミネッセンス素子が単色の発光を行うものであるため、照明光として好適な混合色である例えば白色光を作り出すことが困難であり、一般の照明灯具として使えない、コストアップになり易いという問題がある。
【０００５】
そこで、本発明は、高速でデータを送信することが容易であると共に、照明灯具として安価に製品化することを可能にしようとするものである。
【課題を解決するための手段】
【０００６】
本発明は、オンオフ可能に出射する発光ダイオードを備えた照明手段と、人体に感知されない間隔で前記照明光をオンオフさせると共に、情報データを前記オンオフにより前記照明光に含ませる照明制御手段とを有している。これにより、発光ダイオードを用いることによって、高速でデータを送信することが容易であると共に、安価に製品化することが可能である。
【０００７】
また、本発明は、さらに、他の光源から出射された照明光を受光して検知信号を出力する受光部を有し、前記照明制御手段は、前記受光部からの検知信号に基づいて情報処理する構成にされていても良い。これにより、照明装置としての照明機能と、検知装置としての検知機能の両機能を１台の照明灯具に含ませることができる。
【０００８】
また、本発明における照明制御手段は、固有のＩＤ情報を有し、該ＩＤ情報を前記情報データに含める構成にされていても良い。これにより、各照明灯具を特定することができる。また、照明制御手段は、現在位置を示す位置情報を前記情報データに含める構成にされていても良い。この場合には、照明灯具により設置や携帯された存在場所を確認することができる。さらに、照明制御手段は、前記情報データを携帯電話との間で送受信可能である構成にされていても良い。この場合には、携帯電話を用いて現在位置等の情報を確認することができる。
【０００９】
また、本発明は、照明システムであって、人体に感知されない間隔で照明光をオンオフさせると共に、ＩＤ情報を含む情報データを前記オンオフにより前記照明光に含ませる携帯式照明灯具と、前記照明光を受光し、該照明光に含まれるＩＤ情報に基づいて警報処理を行う警報処理装置とを備えている。これにより、警備を様々な態様で厳重に行うことができる。
【００１０】
また、本発明は、照明システムであって、人体に感知されない間隔で照明光をオンオフさせると共に、セキュリティ情報または表示情報を含む情報データを前記オンオフにより前記照明光に含ませる固定式照明灯具と、前記照明光を受光し、該照明光に含まれるアラームまたは表示データを画面表示する表示装置とを備えている。また、本発明は、人体に感知されない間隔で照明光をオンオフさせると共に、セキュリティ情報データを前記オンオフにより前記照明光に含ませる照明灯具と、前記照明光を受光し、該照明光に含まれるセキュリティ情報でアラームまたはセキュリティ情報を表示する受光装置とを備えた構成にされている。これにより、特別な表示用出力装置を伴うことなく、照明と共にセキュリティ情報や表示データを提供することができる。また、この照明システムにおける上記の前記受光装置は、携帯電話であっても良い。また、この照明システムにおける照明灯具は、現在位置を示す位置情報を前記オンオフにより前記照明光に含ませてしても良い。
【発明の効果】
【００１１】
本発明は、発光ダイオードを用いることによって、灯具でありながら高速でデータを送信することが容易であると共に、安価に製品化することが可能であるという利点がある。
【発明を実施するための最良の形態】
【００１２】
本発明の実施形態を図１および図２に基づいて以下に説明する。
本実施形態に係る照明灯具は、人体に感知されない間隔でオンオフを繰り返す白色ＬＥＤの照明光１９に、情報データをオンオフにより含ませるように構成されている。具体的に説明すると、照明灯具は、壁や天井、道路に設けられる固定式照明灯具２０および懐中電灯のような携帯式照明灯具３１の２形態のものが存在する。
【００１３】
固定式照明灯具２０は、図１に示すように、照明部１と受光部２と灯具制御装置３とを有している。照明部１は、縦横のマトリックス状に配置された多数の白色ＬＥＤ（白色発光ダイオード）を備えている。白色ＬＥＤは、例えば青色発光ダイオードの表面にＹＡＧ系の蛍光体を塗布して形成されており、青色光の一部が蛍光体層を透過し、残りが蛍光体に衝突して黄色光となったときの混合色（白色）を出射するように構成されている。尚、本実施形態においては、白色発光ダイオードを用いて説明しているが、これに限定されるものではなく、照明光として好適な混合色を出射する全ての種類の発光ダイオードを適用することができる。
【００１４】
尚、白色ＬＥＤの配置形態は、マトリックス状である必要はなく、設置される目的（用途）に応じて適宜変更されても良い。即ち、例えば環状や棒状の蛍光灯のように、円環状や直線状に配置されていても良い。さらに、白色ＬＥＤの配置形態は、平面的に配置されている必要もなく、電球形状のように立体的に配置されていても良い。これらの場合には、従来から使用されている既存の蛍光灯や電球に置き換えても違和感なく使用することができる。また、白色ＬＥＤの配置は、１枚の基板に全数の白色ＬＥＤを設けることで行われても良く、この場合には、予め照度を特定した固定式照明灯具２０とすることができる。また、白色ＬＥＤの配置は、単数や複数等の所定数の白色ＬＥＤを備えた単位基板を増設することで行われても良く、この場合には、単位基板を増減することによって、部屋の大きさや要求照度に応じた数量の白色ＬＥＤを備えた固定式照明灯具２０とすることができる。
【００１５】
上記の照明部１には、受光部２が接離可能に一体的に設けられている。受光部２は、受光量に応じて検出信号を増減させる受光素子を備えている。受光部２は、受光素子に光を入射させる受光面が照明部１側とは異なった向きに設定されていると共に、照明部１からの光が受光面に到達しないように構成されている。これにより、受光部２は、照明部１からの光が誤差信号として働くことを防止している。また、受光部２は、必要に応じて照明部１から切り離され、照明部１とは異なる場所にセットされるようになっている。
【００１６】
尚、受光部２は、照明部１と一体的に設けられていても良いし、別体的に設けられていても良い。受光部２が照明部１に一体化された場合には、照明部１と受光部２とを一回の作業で設置することができる。また、受光部２と照明部１とが別体化された場合には、照明部１と受光部２とを任意の場所に設置することができる。例えば照明部１を天井に設置し、受光部２を壁面やドア、家具等に設置することができる。
【００１７】
上記の照明部１および受光部２は、灯具制御装置３に接続されている。灯具制御装置３は、照明部１および受光部２を搭載した筐体内に収容されている。灯具制御装置３は、入出力部１１と演算部１２と通信部１３と設定部１４と記憶部１５とを備えていると共に、これら各部１１〜１５を接続したデータバス１７を備えている。入出力部１１は、上述の照明部１および受光部２に接続されている。入出力部１１は、照明部１に対してオン信号（照明）やオフ信号（照明停止）、これら信号を組み合わせたオンオフ信号（照明と照明停止）を出力する機能を有すると共に、受光部２で受光した光量に応じた信号をデジタル処理に適した信号形態に変換して取り込む機能を有している。尚、オンオフ信号は、マンチェスターコードで形成されていても良いし、その他のＮＲＺやＦＭ等のデジタル変調方式で形成されていても良い。さらには、アナログ変調方式でオンオフ信号が形成されていても良い。
【００１８】
演算部１２は、後述の照明灯具制御ルーチン等のプログラムを実行する機能を備えている。通信部１３は、中央制御装置１８との間で有線や無線によりデータを送受信可能にする機能を有している。尚、中央制御装置１８と通信部１３とは、インターネットを介してデータ通信可能にされていても良いし、所定の通信規格に基づいた通信ケーブルを介してデータ通信可能にされていても良い。
【００１９】
また、設定部１４は、複数のスイッチを備えている。これらのスイッチは、固定式照明灯具２０の動作内容（監視動作や情報出力動作等）を設定したり、ハードウエア的に固定式照明灯具２０のＩＤ情報を設定したり、照明光１９のオンオフ間隔や照度等の照明条件を設定するための機能を有している。また、記憶部１５は、ＩＤ情報や表示データを書き換え可能に記憶するデータ領域や、図２の照明灯具制御ルーチン等のプログラムを格納するプログラム領域等を備えている。尚、プログラム領域は、中央制御装置１８により書き換え可能にされていることが好ましい。
【００２０】
上記の灯具制御装置３に対してデータ通信可能な中央制御装置１８は、灯具制御装置３に対してＩＤデータや表示データ等の情報データを送信するようになっていると共に、灯具制御装置３からの警報信号等を受信して管理者に報知するようになっている。また、中央制御装置１８は、固定式照明灯具２０とは別の場所に設けられている。例えば固定式照明灯具２０が市街地や高速道路、発電所、新幹線に代表される鉄道等の大規模照明システムのように、遠隔地に点在して配置されている場合は、大規模照明システムを集中管理する中央管制室に設けられる。また、工場や家屋等の小規模照明システムのように、固定式照明灯具２０が各部屋等に近接して配置されたり、単独で配置される場合は、工場や家屋内に確保された特定の室内に配置される。
【００２１】
また、上記のように構成された固定式照明灯具２０は、表示装置２１や携帯式照明灯具等の携帯式照明灯具３１との間で照明光１９を介してデータ通信可能にされている。表示装置２１は、携帯に適したサイズおよび形状の筐体２４と、この筐体２４の前面や上面に露出して設けられた受光部２２と、筐体２４内に設けられた図示しないデータ処理部と、筐体２４の前面（操作者の目視面）に設けられた表示部２３とを有している。受光部２２は、上述の照明灯具の受光部２と同様の受光素子を備えており、照明光の受光量に応じて検出信号を増減させるようになっている。また、表示部２３は、ＬＣＤパネル等からなっており、データ処理部において受光部２２で得られた情報データの処理結果を文字や数値、記号等で画面表示するようになっている。
【００２２】
また、携帯式照明灯具３１は、複数の白色ＬＥＤを集合した照明部３２と、操作者が把持する胴体部３３とを有している。胴体部３３は、図示しない乾電池を着脱可能に内蔵していると共に、外表面に設定ダイヤル３４および電源スイッチ３５を備えている。設定ダイヤル３４は、例えば１〜９の数値が環状に配列表示された回転式のスイッチ盤３４ａを備えており、スイッチ盤３４ａで指定された数値データを出力可能になっている。また、電源スイッチ３５は、オン操作（照明操作）により電池からの電力供給を許可し、オフ操作（照明停止操作）により電池からの電力供給を停止する。
【００２３】
また、胴体部３３の内部には、図示しない電灯制御装置が設けられている。電灯制御装置は、電源スイッチ３５によるＯＮ操作（作動操作）により電源が供給されるようになっており、照明部３２をオンオフ可能に駆動する照明駆動部と、照明駆動部および電源スイッチ３５に接続された制御部とを有している。制御部は、設定ダイヤル３４で指定された数値データを読み取る機能と、数値データに対応したＩＤ情報やダイヤル設定番号等の情報データに対応したオンオフ間隔で照明駆動部を作動させて照明光１９を出射させる機能とを有している。尚、電灯制御装置は、上述の固定式の照明灯具に搭載される灯具制御装置３が用いられてもよく、この場合には、中央制御装置１８と携帯式照明灯具３１との間でデータ通信を行うことが可能になる。
【００２４】
次に、上記の固定式や携帯式の照明灯具２０・３１が大規模照明システムや小規模照明システムに適用された場合を具体的に説明する。例えば大規模照明システムである位置情報モニターシステムに適用された場合には、固定式照明灯具２０が街灯や信号機、広告用照明器具等として設けられ、中央制御装置１８が警察署や役所等の管轄施設内に設けられる。そして、位置情報モニターシステムは、例えばＩＤ情報や敷設位置を示す位置情報、周辺地図情報、事故等の注意情報等の各種の情報データを中央制御装置１８から各固定式照明灯具２０に送信するようになっていると共に、各携帯式照明灯具３１からの受信データを固定式照明灯具２０から中央制御装置１８において受信してＩＤ情報と共に集中管理するようになっている。
【００２５】
また、例えば大規模照明システムである電子式キロポストシステムに適用された場合には、固定式照明灯具２０が高速道路等の近傍に設けられたキロポストとして設けられ、中央制御装置１８が中央監視室に設けられる。そして、電子式キロポストシステムは、例えばＩＤ情報や特定場所からの距離情報、周辺地図情報、事故や渋滞等の注意情報等の各種の情報データを中央制御装置１８から各固定式照明灯具２０に送信するようになっていると共に、各固定式照明灯具２０から送信された情報を中央制御装置１８において集中管理するようになっている。
【００２６】
また、小規模照明システムである集会所等の出席者識別システムに適用された場合には、固定式照明灯具２０全体、或いは固定式照明灯具２０の受光部２だけがドアに設けられ、中央制御装置１８が別室に設けられる。そして、出席者識別システムは、携帯式照明灯具３１である懐中電灯でドアに設けられた受光部２が照明されたときに、固定式照明灯具２０から照明光１９に含まれる照明灯具のＩＤ情報を含む情報データを中央制御装置１８に送信し、中央制御装置１８において携帯式照明灯具３１の持ち主を集中管理するようになっている。
【００２７】
また、小規模照明システムである劇場や映画館、コンサート会場等における演劇内容の解説表示システムに適用された場合は、固定式照明灯具２０が階段や壁、天井の照明装置として設けられ、中央制御装置１８が管理室に設けられる。そして、解説表示システムは、演劇内容を示す情報データを中央制御装置１８から各固定式照明灯具２０に送信し、表示装置２１の表示部２３に画面表示可能にするようになっている。
【００２８】
また、小規模照明システムである侵入者警報システムに適用された場合は、固定式照明灯具２０全体が天井や壁、置物の照明器具として設けられ、中央制御装置１８が管理人室や警備会社に設けられる。そして、侵入者警報システムは、例えば固定式照明灯具２０が消灯されているときに、受光部２で受光した照明光１９を情報データとして固定式照明灯具２０から中央制御装置１８に送信し、中央制御装置１８において信号携帯式照明灯具３１以外の懐中電灯や所定のＩＤデータ以外の照明光１９であるときに、部外者が侵入したとして管理者に報知するようになっている。
【００２９】
また、小規模照明システムである機密性システムに適用された場合は、固定式照明灯具２０全体や受光部２のみがドアに設けられ、中央制御装置１８が管理室に設けられる。そして、機密性システムは、来訪者が携帯式照明灯具３１でドアを照明したときに、受光部２で受光した照明光１９を情報データとして固定式照明灯具２０において開錠の判断に使用すると共に、開錠の有無を中央制御装置１８に送信し、中央制御装置１８において来訪者を集中管理するようになっている。
【００３０】
上記の構成において、照明灯具２０・３１の動作を説明する。
【００３１】
先ず、固定式照明灯具２０が所定位置に設けられる。例えば位置情報モニターシステムであれば、街灯として設けられ、解説表示システムであれば、天井や壁の照明器具として設けられる。この後、設定部１４において、システムに応じた動作、即ち、監視動作や情報出力動作で作動するように、設定部１４が設定される。尚、監視動作は、携帯式照明灯具３１の照明光１９を固定式照明灯具２０で受信して処理する動作であり、例えば侵入者警報システムや機密性システムに対応した動作である。一方、情報出力動作は、固定式照明灯具２０の照明光１９を表示装置２１や携帯式照明灯具３１において処理する動作であり、例えば解説表示システム等に対応した動作である。
【００３２】
この後、電源が投入されると、図２に示すように、照明灯具制御ルーチンが実行される。即ち、先ず、中央制御装置１８との通信が確立されるように、固定式照明灯具２０と中央制御装置１８との間で交信が行われる（Ｓ１）。所定の交信待機時間が経過した後に、通信が確立されたか否かが判定され（Ｓ２）、確立されなければ（Ｓ２，ＹＥＳ）、前回のＩＤデータおよび表示データが保持される（Ｓ２）。一方、通信が確立された場合には（Ｓ２，ＮＯ）、中央制御装置１８から送信されるＩＤデータや表示データに既存のデータが置き換えられる（Ｓ３）。
【００３３】
この後、上述の設定部１４における動作設定が読み込まれ（Ｓ４）、動作設定が監視動作であるか否かが判定される（Ｓ５）。監視動作である場合には（Ｓ５，ＹＥＳ）、受光部２からの検知信号を受け付け可能な状態で待機する。即ち、携帯式照明灯具３１や他の懐中電灯により受光部２が照明され、受光部２から検知信号が灯具制御装置３に出力された否かが判定され（Ｓ６）、検知信号が出力されなければ（Ｓ６，ＮＯ）、Ｓ６が繰り返して実行される。
【００３４】
受光部２から検知信号が出力された場合には（Ｓ６，ＹＥＳ）、検出信号に含まれるデータ信号が読み取られ、データ信号に含まれるＩＤ情報が予め設定されたＩＤ情報と照合される（Ｓ７）。そして、ＩＤ情報が適合しているか否かが判定され（Ｓ８）、ＩＤ情報が適合していれば（Ｓ８，ＹＥＳ）、適合処理が実行される（Ｓ９）。即ち、例えば侵入者警報システムや機密性システムであれば、警備員等の適正な人員であるとして判断され、その旨が中央制御装置１８に報知されたり、ドアが開錠される。尚、この場合、照明部１が現状の動作状態とは異なる動作（点滅や点灯、消灯）で作動されることで、警備員等の人員に正常に固定式照明灯具２０が作動していることを報知するようになっていても良い。
【００３５】
一方、ＩＤ情報が適合していていなければ（Ｓ８，ＮＯ）、警報処理が実行される（Ｓ１０）。即ち、例えば侵入者警報システムや機密性システムであれば、泥棒等の不適正な人員であるとして判断され、その旨が中央制御装置１８において報知される。尚、この場合は、照明部１が現状の作動状態を維持していても良く、この場合には、侵入者に気付かれることなく警報を担当箇所に発することができる。また、照明部１が現状の動作とは異なる動作で作動されてもよく、この場合は、侵入者を警告により即座に退去させることができる。そして、このような警報処理が実行された後、Ｓ１から再実行される。
【００３６】
また、Ｓ５において、動作設定が監視動作でないと判定された場合には（Ｓ５，ＮＯ）、続いて情報出力動作であるか否かが判定される（Ｓ１１）。情報出力動作でない場合には（Ｓ１１，ＮＯ）、他の動作や誤動作であると判断されてＳ１から再実行される。一方、情報出力動作である場合には（Ｓ１１，ＹＥＳ）、データ内容が出力される。即ち、記憶部１５に格納されたＩＤデータや表示データがオンオフ信号として入出力部１１を介して照明部１に出力され、照明部１がオンオフ信号に基づいて発光して照明光１９を出力する。これにより、例えば解説表示システムにおいては、休憩時間中に照明部１が点灯されたときに、演劇内容を表示部２３において確認することができる。また、電子式キロポストシステムや位置情報モニターシステムにおいては、自動者に搭載されたり、歩行者が携帯した表示装置２１において現在位置や走行距離を認識することができる。
【００３７】
以上のように、本実施形態の照明灯具（固定式照明灯具２０、携帯式照明灯具３１）は、照明光１９をオンオフ可能に出射する白色発光ダイオードを備えた照明手段（照明部１）と、人体に感知されない間隔で照明光１９をオンオフさせると共に、情報データをオンオフにより照明光１９に含ませる照明制御手段（灯具制御装置３）とを有した構成にされている。これにより、白色発光ダイオードを用いることによって、高速でデータを送信することが容易であると共に、安価に製品化することが可能になっている。
【００３８】
また、本実施形態における固定式照明灯具２０は、さらに、他の光源から出射された照明光１９を受光して検知信号を出力する受光部２を有し、灯具制御装置３は、受光部２からの検知信号に基づいて情報処理する構成にされている。これにより、固定式照明灯具２０は、照明装置としての照明機能と、検知装置としての検知機能の両機能を１台の照明灯具に含ませることが可能になっている。尚、受光部２は、携帯式照明灯具３１に設けられていても良い。
【００３９】
さらに、本実施形態の照明灯具２０・３１は、照明制御手段（灯具制御装置３等）が固有のＩＤ情報を有し、該ＩＤ情報を情報データに含める構成にされている。これにより、各照明灯具２０・３１を特定することができるようになっている。また、照明制御手段は、現在位置を示す位置情報やセキュリティ情報を前記情報データに含める構成にされていても良い。この場合には、照明灯具２０・３１が設置や携帯された存在場所を確認したり、セキュリティ情報を確認することができる。ここで、セキュリティ情報としては、犯罪や事故、交通状態等のように危険情報を含む他、照明灯具２０・３１の近辺に位置する通行人や運転者等の受光者にとって有用な全ての情報を含む。さらに、照明制御手段は、情報データを携帯電話との間で送受信可能である構成にされていても良い。この場合には、携帯電話を用いて現在位置等の情報を確認することができる。
【００４０】
さらに、本実施形態において例示した大規模照明システムおよび小規模照明システムは、警報システムおよび表示システムの少なくとも一方のシステムを含んでいる。即ち、警報システムは、人体に感知されない間隔で照明光１９をオンオフさせると共に、ＩＤ情報を含む情報データをオンオフにより照明光１９に含ませる携帯式照明灯具３１と、照明光１９を受光し、照明光１９に含まれるＩＤ情報に基づいて警報処理（図２のＳ１０）を行う警報処理装置（固定式照明灯具２０、中央制御装置１８）とを備えた構成にされている。これにより、警備を様々な態様で厳重に行うことができる。
【００４１】
尚、警報処理装置は、固定式照明灯具２０から照明部１を除いた受光部２のみを備えた構成であっても良い。また、携帯式照明灯具３１は、専用に作成されたものであってもよい他、通常の携帯電話に照明部３２を設けて携帯式照明灯具３１の機能を付加したものであっても良い。そして、このように構成された携帯電話の場合には、携帯電話の番号ボタンやスイッチ等の操作部を用いてＩＤ情報を任意に変更および設定できるものであることが好ましい。また、携帯電話のＩＤ情報は、例えば固定式照明灯具２０が設けられた家や工場等の電話番号やメールアドレスと連動されていても良い。
【００４２】
また、照明システムは、人体に感知されない間隔で照明光１９をオンオフさせると共に、セキュリティ情報や表示情報を含む情報データをオンオフにより照明光１９に含ませる固定式照明灯具２０と、照明光１９を受光し、照明光１９に含まれるセキュリティ情報や表示情報を画面表示する表示装置２１とを備えた構成にされている。これにより、特別な表示用出力装置を伴うことなく、照明と共に表示情報を提供することができる。
【００４３】
尚、照明システムは、照明光１９を受光し、該照明光１９に含まれるセキュリティ情報でアラームまたはセキュリティ情報を表示する受光装置を備えていても良い。尚、この場合の受光装置は、セキュリティ情報を表示するのであれば表示画面を有するが、アラームのみの場合は例えば振動や音声で警報する構成であっても良い。
【００４４】
尚、表示装置２１や受光装置は、専用に作成されたものであってもよい他、通常の携帯電話に受光部２を設けて表示装置２１の機能を付加したものであっても良い。この場合には、携帯電話に備えられた表示部において表示情報を表示させることができる。さらに、携帯電話においては、上述の携帯式照明灯具３１の機能と表示装置２１の機能とが付加されていることが好ましく、この場合には、電話としての機能に加えて、照明灯具として機能、鍵としての機能、および電話網の電話器用電波以外の照明光を介したデータ通信を行う機能等の多くの機能を携帯電話１台に備えさせることができる。さらに、携帯電話器同士で照明光を用いたデータ通信を行うことも可能になるため、照明光の届く距離であれば、通信費用を安価にすることができる。
【００４５】
尚、図２のプログラムは、記憶部のＲＯＭに予め読み出し専用に書き込まれていても良いし、ＣＤ等の記録媒体に記録されたものが必要時に読み出されて記憶部１５に書き込まれても良いし、さらには本実施形態のようにインターネット等の電気通信回線を介して伝送されて記憶部１５に書き込まれても良い。
【００４６】
以上、本発明は、上記の好ましい実施形態に記載されているが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。また、具体例は、本発明の構成を例示したものであり、本発明を限定するものではない。
【図面の簡単な説明】
【００４７】
【図１】照明灯具を備えたシステムの概略構成図である。
【図２】照明灯具制御ルーチンのフローチャートである。
【符号の説明】
【００４８】
１     照明部
２     受光部
３     灯具制御装置
１１   入出力部
１２   演算部
１３   通信部
１４   設定部
１５   記憶部
１９   照明光
２０   固定式照明灯具
２１   表示装置
２２   受光部
２３   表示部
２４   筐体
３１   携帯式照明灯具
３２   照明部
３３   胴体部
３４   設定ダイヤル
３５   電源スイッチ
【図１】
2005318148.tif 000003
【図２】
2005318148.tif 000004